(57)【特許請求の範囲】
【請求項１】
出張による散髪作業に使用された散髪用具を散髪作業者から回収して消毒し、消毒済みの散髪用具を、消毒済みであることを証明する証明物とともに前記散髪作業者に引き渡すことを特徴とする散髪用具の消毒代行方法。
【請求項２】
前記消毒済みの散髪用具を、病原菌の感染を防止する滅菌パックに収納し、この滅菌パックに消毒済みであることを示す表示を付けて前記証明物として散髪作業者に引き渡すことを特徴とする請求項１記載の散髪用具の消毒代行方法。
【請求項３】
前記消毒済みの散髪用具とともに、散髪現場で散髪用具を消毒する消毒薬剤を前記散髪作業者に付与することを特徴とする請求項１または２記載の散髪用具の消毒代行方法。
【請求項４】
前記消毒薬剤として所定の有効期限を持つものが使用される場合に、前記散髪作業者の各々毎にこの有効期限を管理することを特徴とする請求項３記載の散髪用具の消毒代行方法。
【請求項５】
出張による散髪作業に使用された散髪用具とともに、その散髪用具を用いてなされた散髪作業に関するデータを記録した伝票を回収することを特徴とする請求項１から４いずれか１項記載の散髪用具の消毒代行方法。
【請求項６】
出張による散髪作業に使用された散髪用具とともに、散髪作業で刈り取られた毛髪を回収、処分することを特徴とする請求項１から５いずれか１項記載の散髪用具の消毒代行方法。
【請求項７】
前記散髪用具が、刈り取られた毛髪を補集する機能を有して散髪作業に利用される装置を構成する部品であることを特徴とする請求項１から６いずれか１項記載の散髪用具の消毒代行方法。
【請求項８】
前記部品が、前記装置において毛髪を補集するために空気を吸引するホースの先端部に取り付けられる、くしを含む部品であることを特徴とする請求項７記載の散髪用具の消毒代行方法。
【発明の詳細な説明】
【０００１】
【発明の属する技術分野】
本発明は、出張による散髪作業に使用される散髪用具を、散髪作業者に代わって消毒する方法に関するものである。
【０００２】
【従来の技術】
美、理容院等において、あるいは個人的になされる散髪の１つの技法として、一方の手に持ったくしに毛髪の一部を掛けて他の毛髪から離れるように持ち上げ、次にこれらの毛髪をくしに掛かった状態のまま、あるいはそれまでくしを持っていた指に持ち代えてから、他方の手に持ったはさみによってそれらの毛髪の毛先部分を切る、という技法が広く採用されている。
【０００３】
従来、このようにくしとはさみとを用いて散髪をする場合、はさみによって刈られた短い毛髪はそのまま自然落下させていた。すなわちこれらの刈られた毛髪は、散髪を受けている者が首部分から下に着用しているエプロン上に落ちたり、あるいはその上を滑って床上に落ちることになる。そしてこれらの刈られた毛髪は、一般に、散髪終了後床上にすべて落としてから、ほうき等を用いて集めて捨てられる。
【０００４】
しかし、刈られた細かい毛髪を入念に集める作業は非常に面倒で、多大な労力と時間を要するものとなっていた。
【０００５】
また、刈られた毛髪を上述のようにそのまま自然落下させると、それが散髪を受けている者の着衣内（特に襟回り部分）に侵入して、その者に不快な思いをさせることも多々ある。
【０００６】
また、上述の刈られた毛髪は、美容師や理容師等の散髪作業者の指先、手先等に付着して、それら作業者に不快な思いをさせ、さらには散髪作業の能率を低下させることもある。
【０００７】
実公平７−２５１２２号公報には、上述したようにくしとはさみとを用いて散髪する際に、刈られた毛髪を自然落下させずに自動捕集しながら散髪作業することを可能にする散髪用具が提案されている。
【０００８】
ここに示されている第１の散髪用具は、
一端が空気吸引口とされた筒状部材と、
この筒状部材の他端に一端が連通された空気吸引通路と、
この空気吸引通路の他端に接続された空気吸引源と、
上記空気吸引通路に介設された毛髪捕捉用フィルターと、
上記空気吸引口よりも前方に突出し、一表面が該空気吸引口内に延びるように筒状部材に固定された毛髪受け板と、
この毛髪受け板に対して、歯先側が上記一表面から突出する向きに起立し、かつ歯の根元が上記一表面よりも歯先側に位置する状態で、上記空気吸引口から離して固定されたくしと、
このくしから空気吸引口側に離れ、かつ上記一表面から離れて、くしの長さ方向に延びる毛髪支持部分を有する毛髪支持部材とから構成されたことを特徴とするものである。
【０００９】
またそこに示されている第２の散髪用具は、上述した第１の散髪用具から空気吸引源と、毛髪捕捉用フィルターとが除かれて、上記と同様の筒状部材と、空気吸引通路と、毛髪受け板と、くしと、毛髪支持部材とから構成され、そして空気吸引通路が特に、その他端が電気掃除機のホース等の空気吸引手段に接続可能に形成されたことを特徴とするものである。
【００１０】
またそこに示されている第３の散髪用具は、上述した第１の散髪用具から空気吸引通路と、空気吸引源と、毛髪捕捉用フィルターとが除かれて、上記と同様の筒状部材と、毛髪受け板と、くしと、毛髪支持部材とから構成され、そして筒状部材が特に、その他端が電気掃除機のホース等の空気吸引手段に接続可能に形成されたことを特徴とするものである。
【００１１】
上記構成の第１の散髪用具は、散髪作業者が例えば筒状部材を一方の手に握って持つことにより、くしを該一方の手に間接的に保持する状態として使用される。このように間接的に保持されたくしを、例えばその歯先が上方を向く状態にして、このくしにより毛髪の一部を下側から梳き上げると、それら一部の毛髪はくし歯の根元部分と毛髪支持部材の毛髪支持面とによって下側から支持される状態となる。くし歯の根元部分は毛髪受け板の一表面よりも歯先側に位置し、また毛髪支持面も上記一表面から離れているから、支持された上記一部の毛髪は、毛髪受け板の一表面から浮いた状態となる。一方、毛髪支持部分はくしと離されているから、これら両者の間において上記のように浮いている毛髪の下側（毛髪受け板側）にはさみの一方の刃（静刃）を挿し入れ、後は通常の場合と同様にこのはさみを操作することにより、毛髪を刈ることができる。
【００１２】
このようにして毛髪を刈る際に空気吸入源を作動させておけば、筒状部材の空気吸引口から空気が吸引されるので、刈られた毛髪はこの空気とともに筒状部材から空気吸引通路へと吸引され、自然落下することがない。こうして吸引された毛髪は空気吸引通路に介設された毛髪捕捉用フィルターに捕捉されるので、散髪作業終了後にこのフィルターから除去して、あるいはフィルターごと簡単に処分することができる。
【００１３】
上述のように、刈られた毛髪を自然落下させないで捕集しながら散髪を行なえば、刈られた毛髪が散髪を受ける者の着衣内に侵入したり、散髪作業者の指先、手先等に付着することがなくなる。したがって、刈られた毛髪がそれら両者に不快な思いをさせたり、散髪作業の能率を損なうことがなくなる。
【００１４】
また、刈られた毛髪を上述のように自動的に捕集すれば、床上や、散髪を受ける者が着用しているエプロン上に落下した毛髪をほうき等で集める作業も不要となり、この点からも散髪作業の能率が高められることになる。
【００１５】
なお上述の空気吸引通路、空気吸入源および毛髪捕捉用フィルターとしては、例えば一般的な電気掃除機に使用されているものと同様のものを使用することができる。
【００１６】
また、毛髪を刈るのに先立ってくしで梳き上げている間や、くしを単に毛髪を整えるために使用している間は、空気吸引がなされない方が作業がしやすい。したがって空気吸引は、毛髪にはさみが入れられる直前からなされ、毛髪が刈られたところで休止されるのが好ましい。このように空気吸引のタイミングを制御するためには、例えば空気吸引源として電動のものを用い、それに足踏みスイッチ等を接続しておくのが好ましい。つまりそのようにすれば、散髪作業者は両手に散髪用具とはさみとを持ちながら、足踏みスイッチを操作して、空気吸引のタイミングを散髪作業に都合の良いように自由に制御できることになる。
【００１７】
以上説明した空気吸引通路と、空気吸引源と、毛髪捕捉用フィルターと同様のものは、例えば家庭用あるいは業務用電気掃除機等も備えているので、これらを適宜流用することにより、上記と同様の作用、効果を得ることもできる。すなわち先に述べた構成を有する第２の散髪用具の空気吸引通路を電気掃除機のホース等に接続すれば、あるいは第３の散髪用具の筒状部材を電気掃除機のホース等に接続すれば、刈られた毛髪を吸引、捕捉する作業をこの電気掃除機等に行なわせつつ、第１の散髪用具を使用する場合と全く同様にして散髪をすることができる。
【００１８】
【発明が解決しようとする課題】
上記実公平７−２５１２２号公報に示された散髪用具は、病院等の医療機関に入院している患者や、介護施設に入居、入院している老人等、体が不自由でベッドから離れるのが不可能あるいは困難な人たちを散髪するのに非常に好適なものであり、出張する美容師や理容師等により、既にそのような現場で実用に供されている。
【００１９】
しかし、上述のような患者や老人たちは一般に病原菌に対する抵抗力が弱いこともあって、健常者なら余り気にしないようないわゆる平素無害菌による院内感染に遭う危険性が高いので、そのような人たちを病院内等で散髪するには、毛髪に触れる散髪用具の部分を高度に滅菌、除菌しておくことが望まれる。例えば、上記実公平７−２５１２２号公報に示された散髪用具にあっては、電気掃除機のホース等の空気吸引手段に接続可能とされた筒状部材と、毛髪受け板と、くしと、毛髪支持部材とからなる部分を滅菌、除菌しておくことが望まれる。また、このような特殊な散髪用具を用いずに、通常のはさみやくしを使用して病院内等で散髪をする場合も、事情は同様である。
【００２０】
そのためには、病院内等において散髪作業の前に散髪用具を消毒するよりも、外部で散髪用具を入念に消毒しておくことが望まれる。しかし、出張する美容師や理容師等がそれぞれそのような消毒設備を用意するとなると、設備に多大な費用が掛かることから、散髪料金を高く設定せざるを得ないことになってしまう。
【００２１】
また、散髪を受ける患者の目の前で散髪用具の消毒作業をすれば、その患者や医師たちの信頼感を得やすいが、本格的な消毒設備を病院等の施設内に持ち込んで消毒作業をするのは、スペースを確保するのが難しい、限られた時間内で散髪作業自体に有効に使える時間が短くなってしまう、等の点から実現困難である。
【００２２】
そこで、散髪用具を病院内等の散髪作業現場に持ち込む前に予め消毒しておくのが現実的であるが、その場合は、その事前の消毒がたとえ完璧になされていても、それを簡単には確認できないということから、患者や医師たちの信頼感を得ることが難しくなる。
【００２３】
本発明は上記の事情に鑑みてなされたものであり、出張する散髪作業者の経済的負担を少なくして、散髪作業現場外で予め散髪用具を消毒することができ、そして、消毒に対する信頼感を得ることができる散髪用具の消毒代行方法を提供することを目的とする。
【００２４】
【課題を解決するための手段】
本発明による散髪用具の消毒代行方法は、
出張による散髪作業（つまり美容院や理容院等の固定施設以外でなされる散髪作業）に使用された散髪用具を散髪作業者から回収して消毒し、
消毒済みの散髪用具を、消毒済みであることを証明する証明物とともに前記散髪作業者に引き渡すことを特徴とするものである。
【００２５】
なお、この本発明による散髪用具の消毒代行方法においては、消毒済みの散髪用具を、病原菌の感染を防止する滅菌パックに収納し、この滅菌パックに消毒済みであることを示す表示を付けて前記証明物として散髪作業者に引き渡すようにするのが望ましい。
【００２６】
また、本発明による散髪用具の消毒代行方法においては、消毒済みの散髪用具とともに、散髪現場で散髪用具を消毒する消毒薬剤を散髪作業者に付与することが望ましい。そして、そのような消毒薬剤として、消毒薬剤として所定の有効期限を持つものが使用される場合は、散髪作業者の各々毎にこの有効期限を管理することが望ましい。
【００２７】
また、本発明による散髪用具の消毒代行方法においては、出張による散髪作業に使用された散髪用具とともに、その散髪用具を用いてなされた散髪作業に関するデータ（散髪を受けた者の氏名、日時、散髪作業がなされた施設名等）を記録した伝票を回収することが望ましい。
【００２８】
また、本発明による散髪用具の消毒代行方法においては、出張による散髪作業に使用された散髪用具とともに、散髪作業で刈り取られた毛髪を回収、処分することが望ましい。
【００２９】
また、本発明による散髪用具の消毒代行方法においては、散髪用具が、刈り取られた毛髪を補集する機能を有して散髪作業に利用される装置、つまり、先に説明した実公平７−２５１２２号公報に示されるような装置を構成する部品であることが望ましい。そのような部品の好ましいものとしては、毛髪を補集するために空気を吸引するホースの先端部に取り付けられる、くしを含む部品が挙げるれる。
【００３０】
【発明の効果】
本発明による散髪用具の消毒代行方法においては、出張による散髪作業に使用された散髪用具を散髪作業者から回収して消毒するようにしたから、出張する散髪作業者の経済的負担を少なくして、散髪作業現場外で予め散髪用具を消毒することができる。散髪作業現場外で予め散髪用具を消毒しておけば、散髪作業者は病院等の散髪作業現場において限られた時間を、散髪作業自体に有効に使えるようになる。
【００３１】
また本発明による散髪用具の消毒代行方法においては、消毒済みの散髪用具を、消毒済みであることを証明する証明物とともに前記散髪作業者に引き渡すようにしたから、散髪作業者は、患者や医師たちにその証明物を見せることによって、消毒に対する信頼感を得ることができる。
【００３２】
そして本発明による散髪用具の消毒代行方法において、消毒済みの散髪用具を、病原菌の感染を防止する滅菌パックに収納し、この滅菌パックに消毒済みであることを示す表示を付けて前記証明物として散髪作業者に引き渡すようにした場合は、この滅菌パックによって消毒に対する信頼感を得るとともに、消毒済みの散髪用具が散髪現場に持ち込まれる前に病原菌に感染することも防止される。
【００３３】
また、本発明による散髪用具の消毒代行方法において、消毒済みの散髪用具とともに、散髪現場で散髪用具を消毒する消毒薬剤を散髪作業者に付与するようにした場合は、散髪作業終了後に、使用した散髪用具をその消毒薬剤を用いて直ちに消毒することができるから、散髪を受けた者が例えば病院内の患者等である場合に、その者に付着していた病原菌が病院外に持ち出されることを防止可能となる。
【００３４】
そして、そのような消毒薬剤として、所定の有効期限を持つものが使用される場合に、散髪作業者の各々毎にこの有効期限を管理すれば、有効期限を過ぎた消毒薬剤が使用されてしまうことを防止できる。
【００３５】
また、本発明による散髪用具の消毒代行方法において、出張による散髪作業に使用された散髪用具とともに、その散髪用具を用いてなされた散髪作業に関するデータ（散髪を受けた者の氏名、日時、散髪作業がなされた施設名等）を記録した伝票を回収するようにすれば、消毒代行者および散髪作業者が協会、組合、フランチャイズ等を組織している場合に、消毒代行者がデータを一元管理して、顧客からの苦情や問い合わせ等に迅速に対処することも可能になる。
【００３６】
また、本発明による散髪用具の消毒代行方法において、出張による散髪作業に使用された散髪用具とともに、散髪作業で刈り取られた毛髪を回収、処分するようにすれば、病院等の外の人間が、刈り取られた毛髪に付着していた病原菌に感染することも防止できる。
【００３７】
また、本発明による散髪用具の消毒代行方法において、散髪用具が、刈り取られた毛髪を補集する機能を有して散髪作業に利用される装置を構成する部品である場合は、元来出張による散髪に適しているその種の装置の衛生面での信頼性を向上させ、出張散髪に対するこの装置の適性をさらに高めることができる。
【００３８】
【発明の実施の形態】
以下、本発明の実施の形態を図面を用いて詳細に説明する。
【００３９】
本実施の形態では、前述したように刈り取られた毛髪を補集する機能を有して散髪作業に利用される装置を構成する部品を消毒する。まず、この散髪装置について、図１および図２を参照して説明する。
【００４０】
図１はこの散髪装置の一部を示すものであり、図２はこの散髪装置の空気吸引源の周辺部分を示している。図１に示されるようにこの散髪装置は、一端が空気吸引口10とされ散髪作業者の一方の手に保持される筒状部材11と、この筒状部材11の他端11ａに一端が連通された蛇腹状のフレキシブルホース12と、このフレキシブルホース12の他端が接続されるファンケーシング13と、このケーシング13の内部に配されたファン14と、このファン14を回転させるモータ15と、ケーシング13の内部においてファン14よりもフレキシブルホース12側に配された毛髪捕捉用フィルター16とを有している。
【００４１】
上記筒状部材11の空気吸引口10が開口している部分は、一例として2.5 ｃｍ×８ｃｍ程度のほぼ四角筒状に形成されている。またこの筒状部材11の他端11ａは円筒形とされ、フレキシブルホース12の一端12ａに対して中心軸回り（矢印Ａ方向）に回転自在に連結されている。そして筒状部材11には、空気吸引口10と他端11ａとの間においてジョイント部11ｂが形成され、空気吸引口10側の部分は他端11ａ側の部分に対して、ジョイント軸11ｃを中心にして矢印Ｂ方向に回動自在とされている。
【００４２】
また筒状部材11の空気吸引口10が開口している部分の底板を構成している部材は、空気吸引口10よりも前方側に突出した形状とされ、この突出した部分は毛髪受け板20とされている。したがってこの毛髪受け板20の一表面（図中上表面）20ａは、空気吸引口10内に延びている。そしてこの毛髪受け板20の前端部には、空気吸引口10から離れた状態にしてくし21が固定されている。このくし21は、歯先側が上記一表面20ａから図中上方に突出する向きにして、起立状態で固定されている。また筒状部材11の内部には、板状の毛髪支持部材22が固定されている。
【００４３】
図３に側断面形状を示すように、くし21はその歯の根元が毛髪受け板20の一表面20ａよりも上側（つまり歯先側）に位置するようにして、毛髪受け板20に固定されている。一方毛髪支持部材22は、その上表面22ａがくし21の歯の根元とほぼ同じ高さに位置する状態で、毛髪受け板20の一表面20ａから離して固定されている。この毛髪支持部材22の上表面22ａは毛髪支持部分となるものであり、くし21から空気吸引口10側に離れ、そしてこのくし21の長さ方向にその全長に亘って延びている。なお筒状部材11、毛髪受け板20、くし21および毛髪支持部材22は、通常は合成樹脂により形成するのが便利である。
【００４４】
一方ファン14とモータ15は、フレキシブルホース12側から（すなわち筒状部材11側から）空気を吸引する空気吸引源を構成している。またケーシング13はフレキシブルホース12とともに、上記ファン14が回転された際に空気を流通させる空気吸引通路を構成している。本例では、上記ケーシング13、ファン14、モータ15およびフィルター16として、一般的な家庭用あるいは業務用掃除機に用いられるユニットが適用されており、この掃除機ユニット17は図２の立面図に示される通り、美容院においてカット技術者が作業中座るためのいわゆるカッティングチェアー30内に収められている。
【００４５】
このカッティングチェアー30は、カット技術者が座るための腰掛け部31と、この腰掛け部31に対して支柱32を介して上下伸縮自在に保持された背もたれ33と、逆Ｌ字状に形成された上半部34Ａが上記背もたれ33に、下半部34Ｂが腰掛け部31にそれぞれ保持されたホース保持具34と、移動するための複数のキャスター35とを有している。上記ホース保持具34には、一例として３個のホース止め具36が取り付けられている。
【００４６】
なお上記ホース保持具34の下半部34Ｂは円筒状の内部空間を有する形状とされ、パイプ状とされた上半部34Ａの垂直部がこの下半部34Ｂ内に摺動可能に収められ、上半部34Ａはずり落ちることなく下半部34Ｂに対して伸縮自在となっている。また上半部34Ａの垂直部は、取付具33ａを介して背もたれ33に取り付けられており、この取付具33ａ内でその長手軸回りに回転可能、かつ上下方向に移動可能となっている。
【００４７】
また腰掛け部31の後部パネル31ａには、内蔵されている掃除機ユニット17のファンケーシング13（図１参照）に連通するホース接続口37が上下に離して計２個取り付けられている。各ホース接続口37も、一般的な電気掃除機の本体に設けられているものと同様のものであり、ここにフレキシブルホース12の先端部12ａを挿し込むと図示しないクリック手段により両者が接続され、そしてホース12側に設けられたクリック解除ボタンを押すと両者の接続が解かれるようになっている。
【００４８】
また腰掛け部31の後部パネル31ａからは、掃除機ユニット17に給電するための電源コード38と、スイッチコード39とが引き出されている。電源コード38には差込みプラグ40が取り付けられ、スイッチコード39には足踏みスイッチ41が取り付けられている。
【００４９】
次に、上記構成の散髪装置の作用について説明する。この散髪装置を一例として病院において使用する場合、差込みプラグ40は図示しない電源コンセントに挿し込まれる。そしてカット技術者45は例えばカッティングチェアー30の腰掛け部31上に腰掛け、右肩越しに自身の前までフレキシブルホース12を伸ばし、その先端に接続している筒状部材11の部分を図４に示すように左手51Ｌで（右利き技術者の場合）保持する。このとき筒状部材11は、くし21の歯先側が上を向くようにして保持される。このようにしてくし21は、カット技術者の左手に間接的に保持されるので、図４に示すようにこのくし21により、カットを受ける者の毛髪50の一部50ａを下から梳き上げる。このようにしながら、足踏みスイッチ41を足で操作して、掃除機ユニット17のモータ15をＯＮにすると、空気吸引口10内に空気が吸引される。
【００５０】
このとき、くし21の歯の間から出ている毛髪50ａが比較的長くて図３に破線で示すように、筒状部材11の上面に掛かっていたとすると、この毛髪50ａは上記空気とともに吸引されて先端側から筒状部材11内に引き込まれる。こうして引き込まれた毛髪50ａは、同図に実線で示すように、くし21の歯の根元部分と毛髪支持部材22の上表面22ａとによって支持される状態となる。一方、くし21の歯の間から出ている毛髪50ａが比較的短い場合、それらは同図に１点鎖線で示すように、筒状部材11に掛かることなく最初からくし21の歯の根元部分と毛髪支持部材22の上表面22ａとによって支持されることになる。
【００５１】
以上のようにして支持された一部の毛髪50ａは、毛髪受け板20から浮いた状態となり、そしてくし21と毛髪支持部材22とは互いに離間しているから、カット技術者は右手51Ｒに持ったはさみ52の一方の刃（静刃）を、図４に示すように毛髪50ａの下方に挿し込み、後は通常と同様にはさみ52を操作すれば、毛髪50ａを刈ることができる。こうして刈られる毛髪50ａは、刈られたとたん空気とともに空気吸引口10内に吸い込まれ、自然落下することがない。したがって、刈られた毛髪50ａがカットを受ける者の着衣内に侵入したり、カット技術者の指先、手先に付着することがなくなる。
【００５２】
ここで、一般的なはさみ52を使用することを前提とすれば、毛髪受け板20の表面20ａから毛髪支持部材22の上表面20ａまでの高さＨ、およびくし21と毛髪支持部材22との間の距離Ｌ（図３参照）は、ともに８〜12ｍｍ程度に設定するのが望ましい。
【００５３】
なお、元より短かった毛髪50ａや、一度はさみ52によるカットを受けて短くなった毛髪50ａは、くし21の歯の間から僅かの長さしか飛び出さないから、先端が毛髪支持部材22上まで達しないこともあり得る。そのような毛髪50ａの毛先部分が例えば数ｍｍ程度カットされると、その短くカットされた毛髪50ａが毛髪受け板20の表面20ａ上に落ちることもある。そのようになっても、毛髪受け板20の表面20ａが空気吸引口10内に延びていて、該表面20ａに沿った空気も吸引されるから、この短くカットされた毛髪50ａも空気吸引口10内に吸引され得る。
【００５４】
上記のようにして吸引された毛髪50ａは、フレキシブルホース12内をファン14側に進み、フィルター16によって捕捉されて、そこに集められる。こうして捕集された毛髪50ａは、フィルター16から除去して、あるいはこのフィルター16ごと処分される。このように本装置によれば、カットされた毛髪50ａを自動的に捕集することができるから、カット終了後に毛髪50ａをほうき等によって集める作業が不要となり、カット作業の能率も向上する。
【００５５】
なおこの散髪装置は以上説明したようにして使用する他、図５に示すように、くし21を歯先側が下を向く状態に保持して毛髪50に挿し込んだ後引き上げ、それにより一部の毛髪50ａをくし21に掛けてその他の毛髪から浮き上がらせるように使用することもできる。こうして浮き上がった毛髪50ａは、はさみ52によってカットすればよい。このようにする場合も、カットされた毛髪50ａは空気吸引口10から吸引される。
【００５６】
上記のように使用する場合、くし21に掛けられた毛髪50ａをカット技術者が目で確認できるように、毛髪受け板20の図５に記号Ｗで示した範囲の部分は透明部材で形成するのが好ましい。また図４に示したように使用する際に、カットされた細かい毛髪50ａが筒状部材11内に付着しているか否かを確認できるように、毛髪支持部材22も透明部材で形成するのが好ましい。またこの確認がより容易にできるように、毛髪受け板20は毛髪を引き立たせるような色、例えば白色に形成するのが望ましい。
【００５７】
図４あるいは図５に示すようにしてこの散髪装置を使用する際、カットする部位やカット技法に応じてくし21をいろいろな向きに設定する必要がある。本例の装置においてはフレキシブルホース12を使用しているので、左手による筒状部材11の保持姿勢は変えないで左肘の曲げ状態を種々に変えることにより（このときそれに追随してフレキシブルホース12が屈曲する）、くし21の向きが変えられる得る。さらに本例の散髪装置においては、左手首を動かして筒状部材11をフレキシブルホース12に対して図１の矢印Ａ方向に回転させたり、あるいは筒状部材11のジョイント部11ｂよりも先端側の部分を矢印Ｂ方向に回動させることにより、より機敏かつ微妙にくし21の向きを変えることもできる。
【００５８】
なお筒状部材11の先端側の部分を上記のように回動自在に形成する代りに、あるいはそれに加えて、この先端側を、ジョイント軸11ｃに対して直角な軸11ｅを中心に矢印Ｃ方向（図１参照）に回動自在に形成してもよい。
【００５９】
本実施の形態では、図１においてフレキシブルホース12から取り外される、筒状部材11の他端11ａより前側の部分を消毒の対象としている。つまりこの部分は、筒状部材11、毛髪受け板20、くし21および毛髪支持部材22から構成される部分であり、以下においてはこの部分全体を「くし部」と称する。
【００６０】
次に、本実施の形態による散髪用具の消毒代行方法について説明する。この図６は、本実施の形態における物品およびデータの流れを示すものである。ここでは、例えば協会、組合あるいは会社組織等の消毒代行者70と、出張散髪を行なう美容師あるいは理容師等の散髪作業者71との間でなされる物品およびデータの流れを示している。
【００６１】
図示のように消毒代行者70は、散髪作業者71との間の窓口72と、滅菌パック貯蔵部73と、オートクレブ等の消毒設備74と、洗浄液貯蔵部75と、焼却炉76と、管理用コンピュータ77とを備えている。なお消毒設備74や洗浄液貯蔵部75等は、消毒代行者70自身が所有するものではなく、いわゆる下請けや外注業者としての形態で備えていても構わない。
【００６２】
上記のくし部２は、出張散髪に使用された後、後述のようにして散髪作業者71から窓口72を通して回収され、消毒設備74において消毒される。消毒済みのくし部２は、滅菌パック貯蔵部73から取り出される滅菌パック１に収納された状態で窓口72に戻され、散髪作業者71が次回窓口72を訪れた際に、その散髪作業者71に引き渡される。なお滅菌パック１は、消毒済みのくし部２が外部から病原菌に感染することを防止するもので、その表面にはくし部２が消毒済みであることを示す「消毒済み」等の表示がなされている。
【００６３】
また、滅菌パック１に収納されたくし部２が散髪作業者71に引き渡される際、それと併せて、洗浄液貯蔵部75から取り出された所定量の洗浄液３が散髪作業者71に渡される。この洗浄液３は例えば酸性洗浄液で、スプレーノズルを有するボトル等に詰めた状態で取り扱われる。この洗浄液３は有効期間が一例として２週間、つまり殺菌効果が２週間で低下するものであり、上記ボトル等には、その旨を表示したシールが付けられている。
【００６４】
散髪作業者71は、滅菌パック１に収納されたくし部２および洗浄液３を持参して病院等に出張し、そこで入院患者等の散髪を行なう。その際には、まず上記滅菌パック１を破って中からくし部２を取り出し、それを図１に示したフレキシブルホース12に接続する。そして前述した通りの操作により、刈り取られた毛髪を自動的に捕集しながら散髪を行なうことができる。
【００６５】
このように、くし部２が散髪作業の直前まで滅菌パック１に収納されていれば、このくし部２が散髪現場に持ち込まれる前に病原菌に感染することも防止される。またこの滅菌パック１には上述の通り「消毒済み」等の表示がなされているので、散髪を受ける患者や医師等にその表示を見せることによって、くし部２の消毒に対する信頼感を得ることができる。
【００６６】
また、このようにくし部２が散髪作業現場外で予め消毒されていれば、散髪作業者71は病院等の散髪作業現場において限られた時間を、散髪作業自体に有効に使えるようになる。そして散髪作業者71は、各人で消毒設備を用意する必要がないから、くし部２の消毒に要するコストを低く抑え、ひいては低廉な料金で散髪サービスを提供できるようになる。
【００６７】
なお、１人の散髪希望者に対する散髪が終了したならば、散髪作業者71はそこでくし部２をフレキシブルホース12から取り外し、そのくし部２を、持参した所定の収納箱等の内部に収められているくし部用回収紙パック内に収める。そして、複数の散髪希望者がいる場合は、新たな滅菌パック１を破って中からくし部２を取り出し、それを用いて上述と同様に散髪作業を行なう。このように、１人の散髪希望者毎に別個のくし部２を使用すれば、散髪希望者の間で病原菌等による感染が起こることも防止できる。
【００６８】
上述のくし部回収紙パック内に例えば１０個等の所定数のくし部２が溜まったなら、散髪作業者71はその回収紙パックを収納箱から取り外し、該回収紙パック内のくし部２に前述の洗浄液３を散布し、その出し入れ口を粘着テープによって封印する。
【００６９】
また、希望者全員の散髪作業が終了したならば、あるいは希望者が比較的多い場合は所定数の希望者に対する散髪作業が終了したならば、散髪作業者71は図１に示す毛髪捕捉用フィルター16を取り外し、新たな毛髪捕捉用フィルター16をセットする。取り外された毛髪捕捉用フィルター16には刈り取られた毛髪が捕捉されているので、これを毛髪毎、持参した所定のフィルター用回収紙パック内に収める。そして、希望者全員に対する散髪作業が終了した時点で、このフィルター用回収紙パック内の毛髪捕捉用フィルター16にも前述の洗浄液３を散布し、その出し入れ口を粘着テープによって封印する。
【００７０】
以上のように回収紙パック内の毛髪捕捉用フィルター16やくし部２に洗浄液３を散布しておけば、該フィルター16が捕捉した毛髪やくし部２に付着した病原菌が病院等の外に持ち出されることを防止できる。
【００７１】
散髪作業者71は病院等の散髪現場から離れた後、図６に示した窓口72に立ち寄り、上述のくし部回収紙パックおよびフィルター用回収紙パックを該窓口72に提出する。またそれとともに散髪作業者71は、くし部２を用いてなされた散髪作業に関するデータ（散髪を受けた者の氏名、日時、散髪作業がなされた施設名等）を記録した伝票６を窓口72に提出する。
【００７２】
くし部回収紙パック内に収納されていたくし部２は、窓口72から消毒設備74に送られ、そこで消毒処理を受ける。消毒済みのくし部２は、先に述べた通りにして滅菌パック１に収納され、後日散髪作業者71が窓口72を訪れた際に、その散髪作業者71に引き渡される。なお、各くし部２は複数の散髪作業者71間で混用されないようにするのが好ましい。そのためには、各くし部２に、持ち主の散髪作業者71の名前を記入しておくのが効果的である。
【００７３】
一方、毛髪捕捉用フィルター16を収めたフィルター用回収紙パックは窓口72から焼却炉76に送られ、そこで直ちにフィルター16毎焼却される。このようにすれば、病院等の外の人間が、刈り取られてフィルター16に捕捉された毛髪に付着していた病原菌に感染することを防止できる。
【００７４】
また、散髪作業者71から窓口72に提出された伝票６に記載されていたデータは、電子情報５の形で管理用コンピュータ77に記憶、蓄積される。このようにしておけば、消毒代行者70および散髪作業者71が協会、組合、フランチャイズ等を組織している場合に、消毒代行者70がデータを一元管理して、顧客からの苦情や問い合わせ等に迅速に対処することも可能になる。
【００７５】
本実施の形態におけるように、図１の装置を構成するくし部２を消毒代行者70が消毒し、そして消毒済みであることを証明すれば、元来出張による散髪に適している図１の装置の衛生面での信頼性を向上させ、出張散髪に対するこの装置の適性をさらに高めることができる。また、消毒する対象としては上記くし部２に限らず、内部に毛髪が付着し得る図１のフレキシブルホース12等を消毒対象としてもよい。
【００７６】
しかし、本発明は刈り取られた毛髪を捕集する機能を有する装置を構成する部品に限らず、通常の散髪作業に使用される鋏やくし、さらには散髪時に毛髪を押さえるクリップ等を消毒の対象としてもよく、その場合でも、基本的に前述した効果を同様に奏するものである。
【図面の簡単な説明】
【図１】本発明の一実施の形態によって消毒処理を受ける散髪用具を示す概略図
【図２】上記散髪用具の空気吸引源周辺部を示す立面図
【図３】上記散髪用具の筒状部材の周辺部を示す側断面図
【図４】上記散髪用具の使用状態を示す斜視図
【図５】上記散髪用具の別の使用状態を示す斜視図
【図６】本発明の一実施の形態による散髪用具の消毒代行方法における物品等の流れを示す概略図
【符号の説明】
１    滅菌パック
２    くし部
３    洗浄液
５    電子情報
６    伝票
70    消毒代行者
71    散髪作業者
72    窓口
73    滅菌パック貯蔵部
74    消毒設備
75    洗浄液貯蔵部
76    焼却炉
77    管理用コンピュータ
【図１】
0004860838.tif 000002
【図２】
0004860838.tif 000003
【図３】
0004860838.tif 000004
【図４】
0004860838.tif 000005
【図５】
0004860838.tif 000006
【図６】
0004860838.tif 000007